(57)【要約】【課題】部品点数を抑えつつ、収容部品を確実に固定することのできるアンテナアンプを提供する。【解決手段】アンテナアンプには、同軸コネクタが搭載された基板と、基板を収容するケース部とが備えられている。ケース部は、基板の周囲の少なくとも一部を囲む壁部と、壁部から延出し、内側に向けて折り曲げられることで基板の下面を支持する支持片と、基板の厚み方向に対して支持片に対向するように壁部から延出する舌片とを有している。壁部、支持片及び舌片は板金により一体的に形成されている。壁部における同軸コネクタに対応する部分には、バーリング加工によって形成された開口により同軸コネクタを固定する固定部が設けられている。舌片と基板とは半田により固定されている。【選択図】図１
2010147745.tif 000002
【特許請求の範囲】
【請求項１】
同軸コネクタが搭載された基板と、
前記基板を収容するケース部とを備え、
前記ケース部は、
前記基板の周囲の少なくとも一部を囲む壁部と、
前記壁部から延出し、内側に向けて折り曲げられることで前記基板の下面を支持する支持片と、
前記基板の厚み方向に対して前記支持片に対向するように前記壁部から延出する舌片とを有し、これら前記壁部、前記支持片及び前記舌片が板金により一体的に形成されていて、
前記壁部における前記同軸コネクタに対応する部分には、バーリング加工によって形成された開口により前記同軸コネクタを固定する固定部が設けられ、
前記舌片と前記基板とは半田により固定されていることを特徴とするアンテナアンプ。
【請求項２】
請求項１記載のアンテナアンプにおいて、
前記基板には、前記同軸コネクタに係合し、当該同軸コネクタの位置決めを行う位置決め溝が形成されていることを特徴とするアンテナアンプ。
【請求項３】
請求項１又は２記載のアンテナアンプにおいて、
前記同軸コネクタは、前記固定部に半田付けされていることを特徴とするアンテナアンプ。
【発明の詳細な説明】
【技術分野】
【０００１】
本発明は、アンテナアンプに関する。
【背景技術】
【０００２】
従来、アンテナアンプにおいては、基板及びコネクタを収納するケース部が鋳造によって成型されていた。図５は従来のアンテナアンプ１００の一例を示す斜視図である。この図５に示すように、アンテナアンプ１００には、ケース部１１０と、蓋部１２０とが設けられている。ケース部１１０には、基板１０１と、当該基板１０１に搭載されたコネクタ１０２ａ，１０２ｂ及び同軸コネクタ１０３が収容されている。コネクタ１０２ａ，１０２ｂには電子機器や電源等に配線されたケーブルが接続される。一方、同軸コネクタ１０３にはアンテナに配線された同軸ケーブルが接続される。また、ケース部１１０には、同軸コネクタ１０３を固定するため、当該同軸コネクタ１０３の周囲を覆う固定部１１１が設けられている。この固定部１１１内に同軸コネクタ１０３が挿入された後に、固定部１１１をかしめることで同軸コネクタ１０３が固定されることになる。さらに固定部１１１には、基板１０１の貫通孔１０１ａに連通するネジ穴（図示省略）が設けられている。基板１０１の貫通孔１０１ａを介してネジ穴にネジ止めすることで、基板１０１がケース部１１０内に固定されることになる。上述したようにケース部１１０は鋳造により成型されているために、ネジ穴及び固定部１１１も鋳造によって成型されている。
【０００３】
ここで、他の電子機器と同様にこのアンテナアンプにおいても軽量化が望まれている。このため、鋳造で成型される場合よりも軽量にすべく、板金によって形成されたケース部が開発されている（例えば特許文献１参照）。板金製であると、金型も鋳造用金型よりも簡便であり、金型寿命も長期なものとなる。
【特許文献１】特開２００７−３２４７４２号公報
【発明の開示】
【発明が解決しようとする課題】
【０００４】
しかしながら、特許文献１に示すケース部では、当該ケース部の側壁部に形成された舌片と支持片とによって基板を厚さ方向で挟持することで、厚さ方向の位置ずれを防止しているため、面方向の位置ずれまでは対処されていないのが実状である。
また、特許文献１に示すアンテナアンプは、それ自体がアンテナを収容するものであるので、同軸コネクタは搭載されておらず、そのため固定部も不要となっている。つまり、アンテナとアンプとが別体のアンテナアンプにおいては、同軸コネクタを固定する固定部を別途設けなくてはならず、部品点数の増加を促すことになっていた。
本発明の課題は、部品点数を抑えつつ、収容部品を確実に固定することのできるアンテナアンプを提供することである。
【課題を解決するための手段】
【０００５】
請求項１記載の発明に係るアンテナアンプは、
同軸コネクタが搭載された基板と、
前記基板を収容するケース部とを備え、
前記ケース部は、
前記基板の周囲の少なくとも一部を囲む壁部と、
前記壁部から延出し、内側に向けて折り曲げられることで前記基板の下面を支持する支持片と、
前記基板の厚み方向に対して前記支持片に対向するように前記壁部から延出する舌片とを有し、これら前記壁部、前記支持片及び前記舌片が板金により一体的に形成されていて、
前記壁部における前記同軸コネクタに対応する部分には、バーリング加工によって形成された開口により前記同軸コネクタを固定する固定部が設けられ、
前記舌片と前記基板とは半田により固定されていることを特徴としている。
【０００６】
請求項２記載の発明は、請求項１記載のアンテナアンプにおいて、
前記基板には、前記同軸コネクタに係合し、当該同軸コネクタの位置決めを行う位置決め溝が形成されていることを特徴としている。
【０００７】
請求項３記載の発明は、請求項１又は２記載のアンテナアンプにおいて、
前記同軸コネクタは、前記固定部に半田付けされていることを特徴としている。
【発明の効果】
【０００８】
本発明によれば、舌片と基板とが半田により固定されているので、面方向の位置ずれを防止する別部材を用いなくとも、基板が厚さ方向及び面方向に位置ずれしてしまうことを防止することができる。また、同軸コネクタを固定する固定部の開口がバーリング加工によって壁部に形成されているので、固定専用の別部材を用いなくとも、同軸コネクタを固定することができる。これらのことにより、部品点数を抑えつつも、収容部品を確実に固定することが可能となる。
【発明を実施するための最良の形態】
【０００９】
以下、本実施形態に係るアンテナアンプについて図面を参照し説明する。図１は、アンテナアンプの概略構成を示す分解斜視図である。図１に示すように、アンテナアンプ１には、基板２と、基板２を収容するケース部３と、ケース部３を覆う蓋部４とを備えている。
【００１０】
基板２には、コネクタ２１，２２と、同軸コネクタ２３と、増幅回路を含む回路部（図示省略）とが搭載されている。コネクタ２１は基板２の一端部に配置されていて、このコネクタ２１には、電源に配線されたケーブルが接続される。コネクタ２２は基板２の他端部に配置されていて、このコネクタ２２には、外部の電子機器に配線されたケーブルが接続される。同軸コネクタ２３は基板２の他端部であり、コネクタ２２に隣接する位置に配置されている。同軸コネクタ２３には、アンテナに配線された同軸ケーブルが接続される。基板２における同軸コネクタ２３の搭載箇所には、同軸コネクタ２３の位置決めを行う位置決め溝２４が形成されている。
【００１１】
図２は位置決め溝２４を示す斜視図である。この図２に示すように、位置決め溝２４は、同軸コネクタ２３の基端部の形状よりも僅かに大きい形状に形成されている。具体的には、位置決め溝２４は、上面視略Ｔ字状の溝であり、同軸コネクタ２３の基端に設けられたリブ２３ａを収容する第１溝部２４ａと、第１溝部２４に連通して、同軸コネクタ２３の本体２３ｂにおける基端部を収容する第二溝部２４ｂとを有する。そして、組み立て時に、位置決め溝２４内に同軸コネクタ２３の基端部が挿入されることで、同軸コネクタ２３と位置決め溝２４とが係合し、同軸コネクタ２３の位置決めが行われるようになっている。
【００１２】
図１に示すように、ケース部３には、コネクタ２１，２２の接続箇所及び基板２の側部の一部が露出するように基板２の周囲を囲む壁部３１が設けられている。壁部３１の所定箇所には、外方に向けて突出する突部３２が形成されている。壁部３１における同軸コネクタ２３に対応する部分には、同軸コネクタ２３を固定する固定部３３が設けられている。固定部３３は、同軸コネクタ２３が挿通されることで同軸コネクタ２３を固定する開口３４を有している。同軸コネクタ２３が挿通された後には、同軸コネクタ２３と固定部３３とが半田付けされる。これにより、ケース部３と同軸コネクタ２３とのグラウンドが共通化されて、同軸コネクタ２３の特性が安定化することになる。
【００１３】
また、ケース部３には、基板２を囲ってない箇所に向けて壁部３１から延出し、内側に向けて折り曲げられることで基板２の下面を支持する支持片３５と、基板２の厚み方向に対して支持片３５に対向するように壁部３１から延出する舌片３６とが設けられている。この舌片３６と基板２とは半田により固定されている。
【００１４】
蓋部４には、コネクタ２１，２２及び同軸コネクタ２３の接続箇所が露出するようにケース部３の周囲を囲む壁部４１が設けられている。この壁部４１におけるケース部３の突部３２に対応する箇所には、外側に向かって凹んだ凹部４２が形成されている。この凹部４２が突部３２に係合することで、蓋部４とケース部３とが固定される。
【００１５】
次に、アンテナアンプ１の組立手順について説明する。
図３はケース部３をなす板金を示す展開図である。図３に示すように、板金３００には、基台部３１０と、基台部３１０の一側部に対して折り曲げられる第一折り曲げ部３２０と、基台部３１０の他側部に対して折り曲げられる第一折り曲げ部３３０とが設けられている。
【００１６】
基台部３１０には、収容された基板２に対向する略長方形状の底部３１１と、底部３１１から外方に向けて延出する一対の延出部３１２，３１３とが設けられている。延出部３１２，３１３には、それぞれ開口３１４が形成されている。
【００１７】
第一折り曲げ部３２０には、その中央で外方に向けて延出する中央部３２１と、中央部３２１の両側方に配置されて、当該中央部３２１よりも長く外方に向けて延出する一対の側延部３２２，３２３とが設けられている。一対の側延部３２２，３２３の外側部には、それぞれ側延部３２２，３２３に対して折り曲げられる第三折り曲げ部３２４，３２５が設けられている。また、一対の側延部３２２，３２３の内側部には、それぞれ中央部３２１に向けて延出する第一片３２６が形成されている。一対の側延部３２２，３２３のうち、一方の側延部３２２の内側部には、第一片３２６の外側から中央部３２１に向けて延出する第二片３２７が形成されている。
【００１８】
第二折り曲げ部３３０には、その中央で外方に向けて延出する中央部３３１と、中央部３３１の両側方に配置されて、当該中央部３３１よりも長く外方に向けて延出する一対の側延部３３２，３３３とが設けられている。一対の側延部３３２，３３３の外側部には、それぞれ側延部３３２，３３３に対して折り曲げられる第四折り曲げ部３３４，３３５が設けられている。第四折り曲げ部３３４，３３５のうち、一方の第四折り曲げ部３３５は、側延部３３３と同じ幅であり、その略中央部には開口３３６が形成されている。また、一対の側延部３３２，３３３の内側部には、それぞれ中央部３３１に向けて延出する第一片３３７が形成されている。そして、一対の側延部３３２，３３３の内側部には、第一片３３７の外側から中央部３３１に向けて延出する第二片３３８が形成されている。
【００１９】
この板金３００は、１枚の板材を上記の形状に対応した金型で打ち抜くことで、形成されている。また、打ち抜き後には、第一折り曲げ部３２０の側延部３２２，３２３と、第一折り曲げ部３３０の側延部３３２，３３３との各所定位置（図３の点線円弧Ｓ１）が図における奥側に向けて突出する凸型形状となっている。この凸型形状部分が上記の突部３２となる。
さらに、一方の第四折り曲げ部３３５の開口３３６に対しては、同軸コネクタ２３が挿通できるように、打ち抜き後にバーリング加工が施される。このバーリング加工によって開口３３６が上記の固定部３３の開口３４となる。
【００２０】
そして、この板金３００の第一折り曲げ部３２０、第二折り曲げ部３３０、第三折り曲げ部３２４，３２５、第四折り曲げ部３３４，３３５を折り曲げ、さらに第一片３２６，３３７を内側に向けて折り曲げると、図１に示すケース部３が組み立てられる。組立後においては、第一折り曲げ部３２０、第一折り曲げ部３３０、第三折り曲げ部３２４，３２５及び第四折り曲げ部３３４，３３５が壁部３１となり、第一片３２６，３３７が支持片３５となり、第二片３２７，３３８が舌片３６となる。
【００２１】
図４は蓋部４をなす板金を示す展開図である。図４に示すように、板金４００には、長方形状の天板部４１０と、天板部４１０の短辺部に対して折り曲げられる一対の第一折り曲げ部４２０，４３０と、天板部４１０の長辺部に対して折り曲げられる一対の第二折り曲げ部４４０，４５０とが設けられている。
【００２２】
一対の第一折り曲げ部４２０，４３０のうち、一方の第一折り曲げ部４２０には、コネクタ２１を露出するための第一切欠４２１が形成されている。他方の第一折り曲げ部４３０には、コネクタ２２を露出するための第二切欠４３１及び同軸コネクタ２３を露出するための第三切欠４３２が形成されている。
第二折り曲げ部４４０，４５０は、ケース部３の長辺側の側部を覆るような長方形状に形成されている。
【００２３】
この板金４００は、１枚の板材を上記の形状に対応した金型で打ち抜くことで、形成されている。また、打ち抜き後には、第二折り曲げ部４４０，４５０の各所定位置（図４の点線円弧Ｓ２）が図における手前側に向けて凹む凹型形状となっている。この凹型形状部分が上記の凹部４２となる。
【００２４】
そして、この板金４００の第一折り曲げ部４２０，４３０、第二折り曲げ部４４０，４５０を折り曲げると、図１に示す蓋部４が組み立てられる。組立後においては、第一折り曲げ部４２０，４３０、第二折り曲げ部４４０，４５０が壁部３１となる。
【００２５】
その後、組み立てられたケース部３の支持片３５上に基板２を載置する。この際、固定部３３の開口３４内に同軸コネクタ２３を挿入し、同軸コネクタ２３を固定する。そして、舌片３６と基板２とを半田により固定した後に、蓋部４をケース部３に取り付ける。これにより、アンテナアンプ１が組み立てられる。
そして、アンテナアンプ１は、延出部３１２，３１３の開口３１４を介して固定具が取り付けられることにより、例えば車体等の設置対象に設置される。
【００２６】
以上のように、本実施形態によれば、舌片３６と基板２とが半田により固定されているので、基板２が厚さ方向及び面方向に位置ずれしてしまうことを防止することができる。また、同軸コネクタ２３を固定する固定部３３の開口３４がバーリング加工によって壁部３１に形成されているので、固定専用の別部材を用いなくとも、同軸コネクタ２３を固定することができる。これらのことにより、部品点数を抑えつつも、収容部品を確実に固定することが可能となる。
【００２７】
また、同軸コネクタ２３の位置決めを行う位置決め溝２４が基板２に形成されているので、組立前に同軸コネクタ２３の位置決めを行うことが可能となる。
なお、本発明は上記実施形態に限らず適宜変更可能である。
【図面の簡単な説明】
【００２８】
【図１】本実施形態におけるアンテナアンプの概略構成を示す分解斜視図である。
【図２】図１のアンテナアンプに備わる基板の位置決め溝を示す斜視図である。
【図３】図１のアンテナアンプに備わるケース部をなす板金を示す展開図である。
【図４】図１のアンテナアンプに備わる蓋部をなす板金を示す展開図である。
【図５】従来のアンテナアンプの一例を示す斜視図である。
【符号の説明】
【００２９】
１      アンテナアンプ
２      基板
３      ケース部
４      蓋部
２１      コネクタ
２２      コネクタ
２３      同軸コネクタ
２４      位置決め溝
３１      壁部
３２      突部
３３      固定部
３４      開口
３５      支持片
３６      舌片
４１      壁部
４２      凹部
【図１】
2010147745.tif 000003
【図２】
2010147745.tif 000004
【図３】
2010147745.tif 000005
【図４】
2010147745.tif 000006
【図５】
2010147745.tif 000007